(57)【要約】【目的】シートバックの背面を形成するトリムカバーに延設部を延設し、この延設部によってシートバック下方に固定した下部固定物の背面側を被覆する自動車用シートにおいて、前記延設部の端末を簡単且つ容易に固定でき、しかも、延設部に皺、たるみが発生することがないようにする。【構成】延設部１の内側に、合成樹脂製保形材１１を一体に設けると共に、この保形材の一部にスリットを入れて掛止部１２を形成し、この掛止部１２に下部固定物３に一端を固定したゴム紐２０の他端を掛止したことを特徴とする。【選択図】        図３
2004321661.tif 000002
【特許請求の範囲】
【請求項１】
前後方向に傾動自在にベース部材に枢着してなる自動車用シートのシートバックにおいて、
該シートバックの背面形成用トリムカバーに、シートバックの下方のベース部材に固設した下部固定物背面被覆用の延設部を延設し、該延設部の内側には剛性を有する合成樹脂製フィルム、シートからなる保形材を一体に設け、該保形材に、その一部にスリットを入れて形成した掛止部を設け、
一方、前記下部固定物には、ゴム紐の一端を取付け、該ゴム紐の他端を前記延設部の掛止部に掛止することにより前記延設部を張設してなる自動車用シートのトリムカバー端末処理構造。
【請求項２】
前記保形材はその上下方向の中央部又は上部を外方に向けて膨出状に形成してなる前記請求項１記載の自動車用シートのトリムカバー端末処理構造。
【発明の詳細な説明】
【０００１】
【発明の属する技術分野】
本発明は、自動車用シートにおけるシートバックの背面を構成するトリムカバー端末処理構造に関する。
【０００２】
【従来の技術】
自動車用シートにはシートバックをベース部材の後端上部に対してリクライニングデバイスによって前後方向に傾動自在に取付けると共に、シートクッションをその上部をシートバック方向に跳ね上げ可能又は上下方向に回動可能にベース部材に取付けたものがある。
【０００３】
シートクッションの他端を前記ベース部材に枢着してその枢着部を回転中心にシートクッションの上部を跳上げ可能に取付けた、いわゆるチップアップ式シートは、シートクッションの後方且つシートバックの下方のベース部材に、左右のベース部材を連結しシートベルトのアンカーを取付けるための補強メンバーが架設され、この補強メンバーは発泡体製クッション材で被包され、このクッション材はシートクッション、シートバックのトリムカバーと同一の表皮材で被覆されている。
【０００４】
この補強メンバー、クッション体、表皮材から構成されるものを下部固定物とする。この下部固定物はベース部材に固定され、シートバックは前記リクライニングデバイスで前後に傾動するため、シートバックと下部固定物との間には隙間が発生する。
【０００５】
【発明が解決しようとする課題】
以上のシートバックと下部固定物との間に生ずる隙間は、シートの前、後方向から視覚され、シートの外観品質が損なわれる。
特に、後席側から視覚される隙間は外観品質が損なわれるばかりか、後席乗員の足などが差し込まれる不具合がある。
【０００６】
そのため、前記後席側から視覚される隙間はシートバックの背面を構成するトリムカバーに縫着した被覆布で塞いでいる。
【０００７】
そして、この被覆布の端末は前記下部固定物に設けたトリムワイヤにホッグリング等によって固定している。
また、この被覆布の端末にフックを縫着して、このフックを前記トリムワイヤ等に掛止するものもある（特許文献１参照）。
【０００８】
【特許文献１】特開平６ー３０４３４９号公報
【０００９】
しかし、この従来の被覆布の端末処理構造によると、シートバックが前後に傾動した際に、被覆布に、皺、たるみが生じるし、また、被覆布の端末を簡単且つ容易に固定できない欠陥があった。
【００１０】
そこで、本発明は斯様な従来品の不具合を除去することを目的とする。
【００１１】
【課題を解決するための手段】
以上の目的を達成するための本発明は、前後方向に傾動自在にベース部材に枢着してなる自動車用シートのシートバックにおいて、該シートバックの背面形成用トリムカバーに、シートバックの下方のベース部材に固設した下部固定物背面被覆用の延設部を延設し、該延設部の内側には剛性を有する合成樹脂製フィルム、シートからなる保形材を一体に設け、該保形材に、その一部にスリットを入れて形成した掛止部を設け、一方、前記下部固定物には、ゴム紐の一端を取付け、該ゴム紐の他端を前記掛止部に掛止することにより前記延設部を張設してなる構成である。
【００１２】
以上の構成により、延設部は常にゴム紐の弾力によって引張られ、しかも、内側に設けた保形材によって皺、たるみが生じない。
【００１３】
加えて、保形材の一部に、ゴム紐を掛止する掛止部が設けているため、掛止部材を別個に延設部側に設ける必要もないし、ゴム紐を掛止部に簡単且つ容易に掛止できる。
【００１４】
また、前記保形材の上下方向の中央部又は上部を外方に向けて膨出状に形成することにより、延設部は保形材自体の弾性により、皺、たるみが発生することがない。
【００１５】
【発明の実施の形態】
以下、本発明の実施の一形態を図面に基づいて説明する。
図１は本発明に係る構造を備えた自動車用シートを示し、図中ＳＣはシートクッション、ＳＢはリクライニングデバイス（不図示）によって前後方向に傾動自在に取付けたシートバック、Ｃはリクライニングデバイス等を被覆する樹脂製カバーを各々示す。
【００１６】
以上のシートバックＳＢの背面は前面である着座面と同様にトリムカバーＢで被覆され、このトリムカバーＢの下部にはポケットＰが形成され、このポケットＰはトリムカバーＢと同一部材からなるトリムカバー５ＯＡと裏生地５０Ｂとから構成され、トリムカバー５０Ａはその上端縁を除く４周囲が縫着され、ポケットを形成している。従って、トリムカバー５０Ａの上端縁が裏生地５０Ｂ又はトリムカバーＢに縫着されていないため、この部分がポケットの開口部となる。
【００１７】
以上のトリムカバー５０Ａの下端には延設部１が延設されており、この延設部１は下部固定物３に一端を固定した左右一対のゴム紐２０、２０の弾力によって常時下方に張力が加えられている。
【００１８】
なお、図１において、図中Ｔはテーブル、１０Ａはトリムカバー５０Ａの下端縁又は延設部１の上端縁に沿って裏生地５０Ｂに縫着した縫着線を各々示す。
【００１９】
以上のシートバックＳＢは図２に示すように、車床側に、直接、又はスライドレールを介して締結するフレームなどのベース部材５における後端上部にリクライニングデバイスを介して取付けられている。
【００２０】
また、シートクッションＳＣは図２に示すように、その後部側がベース部材５に回動自在に軸着され、前部が上下方向に可動でき、また、前記軸着個所を回転中心に前部がシートバックＳＢ方向に跳ね上げることができるように形成されている。
【００２１】
即ち、シートバックＳＢは傾動可能、シートクッションＳＣはチルト及びチップアップ可能にベース部材５に取付けられている。
【００２２】
そして、シートバックＳＢの下方且つシートクッションＳＣの後方に位置するベース部材５には、下部固定物３が取付けられている。この下部固定物３は左右のベース部材５間に架設して車床側に締結する補強メンバー３２と、この補強メンバー３２を被包する発泡体製クッション材３１と、このクッション材３１を被覆する表皮材３０とから構成され、前記補強メンバー３２にはシートベルトのアンカー（不図示）が固定される。
【００２３】
この下部固定物３の表皮材３０に前記ゴム紐２０、２０の一端が縫着され、このゴム紐２０、２０は環状に形成されている。
【００２４】
この下部固定物３の背面側は前記延設部１で被覆され、また、シートバックＳＢと下部固定物３との両背面側との間の隙間イも前記延設部１で被覆される。
【００２５】
また、隙間イはシートバックＳＢ側に縫着した垂布４によっても塞ぎ、シートの前面方向からの外観品質も向上させている。
【００２６】
なお、シートバックＳＢは従来周知の構造であり、図中５０は着座面側のトリムカバー、５１は発泡体製パッド、５２はフレーム、５３はフレームの左右に張架したばねを各々示す。
【００２７】
以上の延設部１は前述の如く、トリムカバー５０Ａと延設したもので、図３、４に示すように、その内側には、ポリエステル、ポリプロピレンなど剛性を有する合成樹脂製フィルム又はシートからなる保形材１１が接着されている。
【００２８】
そして、この保形材１１は、図５に示すように上下方向の上部又は中央が外方である延設部１方向に膨出状に成形されている。従って、延設部１の最下端１０Ａは保形材１１によって下部固定物３に弾接し、下部固定物３の表面に密着する。
【００２９】
そして、この保形材１１における延設部１の端末１Ａに対応する下部左右には掛止部１２が図４に示すように設けてある。即ち、この掛止部１２は保形材１１の一部に鉤形状のスリット１２Ａを切欠することにより形成される。
【００３０】
また、この掛止部１２は保形材１１の肉厚が薄いため、内方に突部１３を一体成形することにより補強している。
【００３１】
以上の各掛止部１２に図６に示すように、前記ゴム紐２０を掛止することにより、延設部１の端末１Ａは下部固定物３に張設される。
図３において、図中２１、２１はゴム紐２０を下部固定物３の表皮材３０に縫着する縫糸を示す。
【００３２】
延設部１の端末１Ａは以上の如く固定されているため、ゴム紐２０の弾力によって延設部１は常に図３矢印方向である下方に張力を付与されているため、シートバックＳＢを前後に傾動しても、皺、たるみが生じない。
【００３３】
そして、延設部１の内側に接着した保形材１１の剛性によって皺、たるみが全く生じない。
【００３４】
更に、延設部１はその内側に一体に設けた保形材１１の弯曲形状によって、端末１Ａが下部固定物３の表面に密着する。
【００３５】
【発明の効果】
本請求項１の発明によれば、シートバックの背面下部を構成するトリムカバーの延設部に皺、たるみが生じない。
また、延設部の内側に一体に設けた保形材の一部を掛止部とし、この掛止部に下部固定物に一端を取付けたゴム紐を掛止すればよいため、掛止部を別個に取付ける必要がないし、また、延設部の端末の固定作業を簡単且つ容易に行うことができる。
【００３６】
本請求項２の発明によれば、延設部の端末が下部固定物の表面に弾接し、延設部の端末と下部固定物の表面との間に、シートの背面側の外観品質を損なう隙間が発生することがない。
【図面の簡単な説明】
【図１】本発明に係る構造を有する自動車用シートの斜視図である。
【図２】要部の断面図である。
【図３】延設部の端末の取付状態を示す断面図である。
【図４】延設部の部分切欠斜視図である。
【図５】図４のＶーＶ線断面図である。
【図６】ゴム紐を掛止部に掛止した状態を示す断面図である。
【符号の説明】
ＳＢ      シートバック
１      延設部
３      下部固定物
５      ベース部材
１１      保形材
１２      掛止部
２０      ゴム紐
５０Ａ      シートバックの背面形成用のトリムカバー
【図１】
2004321661.tif 000003
【図２】
2004321661.tif 000004
【図３】
2004321661.tif 000005
【図４】
2004321661.tif 000006
【図５】
2004321661.tif 000007
【図６】
2004321661.tif 000008